(57)【要約】  【課題】  下段側端子台部への相手側端子の接続を下段端子カバーを外すことなく行なうことができ、下段端子台部において、必要なところの相手側端子だけを外すことができて、配線作業を効率良く行なうようにする。  【解決手段】  下段側端子カバー３０は、その両側部より下段側端子カバー３０の移動方向に延在する一対の脚部３３を有しており、下段端子カバー３０は、脚部３３を端子挿入孔１４に挿入することで端子台Ａに摺動可能に保持されていて、下段端子カバー３０は端子解放面３Ａと同一面内で移動可能にしてあり、この下段端子カバー３０を移動させることで、両脚部３３に挟まれたスペースに、下段側端子台部３の端子解放面３Ａを表出させて接続端子８−１に相手側端子を接続する。【選択図】  図１
2006260829.tif 000002
【特許請求の範囲】
【請求項１】
複数段の端子台部を有する端子台の端子カバー装置であって、複数段の端子台部のうちの上段側端子台部を覆う上段端子カバーと、下段側端子台部を覆う下段端子カバーとを別体に構成し、少なくとも、前記下段端子カバーは前記下段側端子台部の端子解放面と同一面内で移動可能に構成して、前記下段端子カバーの移動により前記端子解放面を解放することで、前記下段側端子台部の接続端子を表出させるようにしたことを特徴とする端子台の端子カバー装置。
【請求項２】
前記下段端子カバーに、前記接続端子に相手側端子を装着するドライバー等の工具の挿入部を設けたことを特徴とする請求項１に記載の端子台の端子カバー装置。
【請求項３】
下段側端子カバーは、その両側部より当該下段側端子カバーの移動方向に延在する一対の脚部を有しており、これらの脚部が前記端子台に摺動可能に保持されていて、前記下段端子カバーは前記端子解放面と同一面内で移動可能にしてあることを特徴とする請求項１又は請求項２に記載の端子台の端子カバー装置。
【請求項４】
前記脚部の前記端子台による保持は、前記端子台に一対の脚部挿入孔を設けて、当該脚部挿入孔に前記脚部を挿入して行うようにしたことを特徴とする請求項３に記載の端子台の端子カバー装置。
【請求項５】
前記脚部の先部にロック部を設け、前記脚部挿入孔に、前記下段側端子カバーの移動方向に所定の間隔をおいて第１のロック係合部と第２のロック係合部を設け、前記ロック部が前記第１のロック係合部に係脱可能に係合した状態では、前記下段側端子カバーは前記端子解放面を覆う位置にあり、前記ロック部が第２のロック係合部に係脱可能に係合した状態では、前記下段側端子カバーは前記端子解放面を解放する位置にあることを特徴とする請求項４に記載の端子台の端子カバー装置。
【請求項６】
前記下段側端子カバーの両側部に、前記脚部に平行する切込み部を形成して、前記脚部を弾性変形可能にしたことを特徴とする請求項５に記載の端子台の端子カバー装置。
【請求項７】
前記下段側端子カバーが透視可能であることを特徴とする請求項１乃至請求項６のいずれかの一に記載の端子台の端子カバー装置。
【発明の詳細な説明】
【技術分野】
【０００１】
本発明は、例えば、電源機器等の電子機器の入、出力線を配線する端子台の端子カバー装置に関するものである。
【背景技術】
【０００２】
一般に、電源装置には各系統への負荷を分配するためや、端子数を増やす目的で二段構造の端子台が装着してある。この端子台４０は、図６及び図７に示すように端子台本体４１を備えており、この端子台本体４１には、その上段に上段端子台部４２が、下段に下段端子台部４３がそれぞれ形成してある。そして、端子台４０には、その上段端子台部４２を開閉する端子カバー６０が設けてある。
【０００３】
上段端子台部４２は、図７に示すように、左右の側壁部４４、４５の上側部位間に複数の隔壁部４６を設け、これらの隔壁部４６により端子台本体４１の上部を複数の端子装着部４７に仕切り、これらの端子装着部４７のベース部４７ａに接続端子４８が設けて構成してある。そして、左右の側壁部４４、４５の頂面後部には支承孔４９Ａを有するヒンジ用突起部４９が突設してある。
【０００４】
また、下段端子台部４３は、左右の側壁部４４、４５の下側部位間に複数の隔壁部５０を設けて、これらの隔壁部５０により端子台本体４１の下部を複数の端子装着部５１に仕切り、これらの端子装着部５１のベース部５１ａに接続端子４８−１を設けて構成してある。
【０００５】
端子カバー６０は上段端子台部４２と上面と略同じ大きさの長方形状のカバー本体６０Ａを有しており、このカバー本体６０Ａの両縁部の後端部にはヒンジピン６１が突設してある。
【０００６】
そして、端子カバー６０は、そのヒンジピン６１をヒンジ用突起部４９の支承孔４９Ａに挿入して端子台本体４１に取付けてあり、この端子カバー６０をヒンジピン６１を支点にして回動させることにより、端子カバー６０で上段端子台部４２の端子解放面を解放する。
【０００７】
なお、従来の端子台のカバー構造としては、端子台を基板に上向きに実装した場合のデッドスペースが少なくなり、基板スペースを有効に使えるし、金型投資の効率が向上するばかりか、結線作業が容易になる電子機器の端子台構造が開示されている。
【０００８】
この端子台のカバー構造は、端子台本体の左右の側壁部及びこれらの側壁部間の隔壁部の後部バリア部を少なくすると共に、これらの側壁部の上縁部の前後に係合凹部を形成した端子台と、カバー本体の左右側縁部に前記係合凹部に係脱可能に係合する支軸部を形成すると共に、カバー本体に端子台本体の左右の側壁部及び隔壁部の後部バリア部の役目をするバリア部を形成した端子カバーとを備えている（特許文献１参照）。
【特許文献１】実開平６−２５６５号公報
【発明の開示】
【発明が解決しようとする課題】
【０００９】
上記した図６及び図７に示す従来の端子カバー構造では、上段端子台部４２は端子カバー６０で覆われていてフィンガープロテクトが可能であるが、下段端子台部４１は端子カバーで覆われておらず、フィンガープロテクトはできない。
【００１０】
したがって、下段端子台部４３側に端子カバーを取付けて、この下段端子台部４３を覆うようにすれば、上、下段端子台部４２、４３と共に、フィンガープロテクトが可能になるのであるが、上、下段端子台部４２、４３の接続端子４８、４８−１に相手側端子（負荷側の端子）（図示せず）を接続する場合、最初は下段端子台部４３の接続端子４８−１に接続した後、次に、上段端子台部４２の接続端子４８への接続をすることはできる。このような状態では、上段端子台部４２の接続端子４８に接続した相手側端子および配線が下段端子台部４３側に張出して覆う状態になる。
【００１１】
配線後、例えば、接続端子を変更するような場合、必要なところの相手側端子だけを外したいのであるが、下段端子台部４３の端子カバーを開けることができないので、下段端子台部４３の接続端子４８−１に接続されている相手側端子を取り外すことができず、上段端子台部４２の接続端子４８をも取外す必要が出てくる。
【００１２】
これを改善するために、下段の端子カバーを下段端子台部４３に対して、脱着可能にすればよいことになるが、上段側の接続端子４８或いは下段側の接続端子４８−１に相手側端子が接続された状態で、下段の端子カバーを下段端子台部４３に装着するのは、非常に装着し辛く、配線の作業性が悪いという問題点があった。
【００１３】
本発明は上記した問題点を解決するものであり、その目的とするところは、下段側端子台部への相手側端子の接続を下段端子カバーを外すことなく行なうことができるばかりか、下段端子台部において、下段端子カバーを外すことなく、必要なところの相手側端子だけを外すことができて、配線作業を効率良く行なうことができると共に、フィンガプロテクトが可能となる端子台の端子カバー装置を提供することにある。
【課題を解決するための手段】
【００１４】
上記の目的を達成するために、本発明に係る端子台の端子カバー装置は、複数段の端子台部を有する端子台の端子カバー装置であって、複数段の端子台部のうちの上段側端子台部を覆う上段端子カバーと、下段側端子台部を覆う下段端子カバーとを別体に構成し、少なくとも、下段端子カバーは下段側端子台部の端子解放面と同一面内で移動可能に構成して、下段端子カバーの移動により端子解放面を解放することで、下段側端子台部の接続端子を表出させるようにしたことを特徴とする。
【００１５】
かかる構成により、上段端子台部においては、その上段端子カバーを開けて、この上段端子台部の端子解放面を解放して上段側端子台部の接続端子を表出させて、この接続端子に相手側端子を接続する。また、下段端子カバーを移動することで、下段側端子台部の端子解放面を解放して下段側端子台部の接続端子を表出させて、この接続端子に相手側端子を接続することができる。
【００１６】
したがって、上、下段端子台部の接続端子に相手側端子を接続する場合、最初は上段側端子台部に接続した後、次に、下段側端子台部への接続を下段端子カバーを外すことなく行なうことができる。
【００１７】
このように配線した後、例えば、接続端子を変更するような場合、下段端子台部の接続端子の必要なところの相手側端子だけを外したい場合には、下段側端子カバーを移動させることで下段端子台部の端子解放面を解放することで、必要なところの相手側端子だけを外すことができて、配線の作業性を効率良く行なうことができる。
【００１８】
また、本発明に係る端子台の端子カバー装置は、上記した本発明に係る端子台の端子カバー装置において、下段端子カバーに、接続端子に相手側端子を装着するドライバー等の工具の挿入部を設けたことを特徴とする。
【００１９】
かかる構成により、下段端子台部を下段端子カバーで覆った状態でも、工具の挿入部から相手側端子の接続端子への脱着が可能になる。
【００２０】
ここで、工具の挿入部とは、例えば、下段端子カバーに形成された円形孔が該当する。
【００２１】
また、本発明に係る端子台の端子カバー装置は、上記した本発明に係る端子台の端子カバー装置において、下段側端子カバーは、その両側部より当該下段側端子カバーの移動方向に延在する一対の脚部を有しており、これらの脚部が端子台に摺動可能に保持されていて、下段端子カバーは端子解放面と同一面内で移動可能にしてあることを特徴とする。
【００２２】
かかる構成により、一対の脚部が端子台に摺動可能に保持された状態で、下段端子カバーを端子解放面と同一面内に移動させることができて、両脚部に挟まれたスペースに、下段側端子台部の端子解放面を表出させて下段側端子台部の接続端子に相手側端子を接続することができる。
【００２３】
また、本発明に係る端子台の端子カバー装置は、上記した本発明に係る端子台の端子カバー装置において、脚部の端子台による保持は、端子台に一対の脚部挿入孔を設けて、当該脚部挿入孔に脚部を挿入して行うようにしたことを特徴とする。
【００２４】
かかる構成により、一対の脚部が端子台の脚部挿入孔に摺動可能に挿入保持された状態で、下段端子カバーを端子解放面と同一面内に移動させることができて、両脚部に挟まれたスペースに、下段側端子台部の端子解放面を表出させて下段側端子台部の接続端子に相手側端子を接続することができる。
【００２５】
また、本発明に係る端子台の端子カバー装置は、上記した本発明に係る端子台の端子カバー装置において、脚部の先部にロック部を設け、脚部挿入孔に、下段側端子カバーの移動方向に所定の間隔をおいて第１のロック係合部と第２のロック係合部を設け、ロック部が第１のロック係合部に係脱可能に係合した状態では、下段側端子カバーは下段端子台部の端子解放面を覆う位置にあり、ロック部が第２のロック係合部に係脱可能に係合した状態では、下段側端子カバーは端子解放面を解放する位置にあることを特徴とする。
【００２６】
かかる構成により、ロック部が第１のロック係合部に係脱可能に係合した状態では、下段側端子カバーは下段端子台部の端子解放面を覆う位置にあり、この状態から、下段端子カバーを端子解放面と同一面内を移動させることで、一対の脚部が脚部挿入孔内を摺動し、ロック部が第２のロック係合部に係脱可能に係合した状態では、下段側端子カバーは端子解放面を解放する位置に至り、両脚部に挟まれたスペースに、下段側端子台部の端子解放面が表出するので、下段側端子台部の接続端子に相手側端子を接続することができる。
【００２７】
また、本発明に係る端子台の端子カバー装置は、上記した本発明に係る端子台の端子カバー装置において、下段側端子カバーの両側部に、脚部に平行する切込み部を形成して、脚部を弾性変形可能にしたことを特徴とする。
【００２８】
かかる構成により、下段側端子カバーは、その両脚部を摘んで内方に弾性変形させれば、ロック部が第２のロック係止部から外れるために、下段側端子カバーを端子台から取外すことができる。
【００２９】
また、本発明に係る端子台の端子カバー装置は、上記した本発明に係る端子台の端子カバー装置において、下段側端子カバーが透視可能であることを特徴とする。
【００３０】
かかる構成により、下段側端子カバーが下段端子台部を覆っている場合でも、或いは、下段側端子カバーが移動されて下段端子台部の端子解放面が解放されている場合でも、相手側端子を見ながら、この相手側端子の接続端子への脱着ができる。
【発明の効果】
【００３１】
本発明に係る端子台の端子カバー装置によれば、下段側端子台部への相手側端子の接続を下段端子カバーを外すことなく行なうことができるし、配線後、例えば、接続端子を変更するような場合、下段端子台部の接続端子の必要なところの相手側端子だけを外したい場合には、下段側端子カバーを移動させることで下段端子台部の端子解放面を解放し、必要なところの相手側端子だけを外すことができて、配線作業を効率良く行なうことができる。
【発明を実施するための最良の形態】
【００３２】
以下、本発明の実施の形態を図面に基づいて説明する。
【００３３】
図１は本発明に係る端子台の端子カバー装置において、下段端子カバーで下段側端子台部の端子解放面を覆った状態の斜視図、図２は同端子台の端子カバー装置において、下段端子カバーを移動させて下段側端子台部の端子解放面を解放した状態の斜視図、図３は同端子台の端子カバー装置における下段端子カバーの斜視図、図４は同端子台の端子カバー装置において、下段端子カバーで下段側端子台部の端子解放面を覆った状態の横断面図、図５は同端子台の端子カバー装置において、下段端子カバーを移動させて下段側端子台部の端子解放面を解放した状態の横断面図である。
【００３４】
本発明に係る端子カバー装置は、図１及び図２に示すように、上段側端子カバー２０と下段側端子カバー３０とを有しており、二段構造の端子台Ａに装着されるものである。この端子台Ａは端子台本体１を備えており、この端子台本体１には、上段に上段端子台部２が、下段に下段端子台部３がそれぞれ形成してある。
【００３５】
上段端子台部２は、左右の側壁部４、５の上側部位間に複数の隔壁部６を設け、これらの隔壁部６により端子台本体１の上部を複数の端子装着部７に仕切り、これらの端子装着部７のベース部７ａに接続端子８を設けて構成してある。そして、各端子装着部７の上面が端子解放面２Ａになる。
【００３６】
そして、左右の側壁部４、５の上側部位にはロック溝部９が形成してある。また、左右の側壁部４、５の頂面後部には支承孔１０Ａを有するヒンジ用突起部１０が突設してあり、また、左右の隔壁部６の前縁部には係止溝部１１が形成してある。
【００３７】
下段端子台部３は、左右の側壁部４、５の下側部位間に複数の隔壁部１２を設けて、これらの隔壁部１２により端子台本体１の下部を複数の端子装着部１３に仕切り、これらの端子装着部１３のベース部１３ａに接続端子８−１を設けて構成してある。そして、各端子装着部１３の上面が端子解放面３Ａになる。
【００３８】
そして、図４及び図５に示すように、上段端子台部２の前面部２ａの左右には、この前面部２ａから後面部２ｂに抜ける脚部挿入孔１４が形成してある。そして、左右の側壁部４、５には、脚部挿入孔１４の後端部に開口する切欠きよりなる第１のロック係合部１７が形成してある。これらの脚部挿入孔１４は、左右の側壁部４、５に位置するロック溝部９(図１、図２参照)に交叉していて、これらの交叉部においてロック溝部９は脚部挿入孔１４に開口していて、これらの開口部１６とロック溝部９とで第２のロック係合部１８を構成している。
【００３９】
図１に示すように、上段側端子カバー２０は透明或いは半透明体な合成樹脂製であって、上段端子台部２と上面と略同じ大きさの長方形状のカバー本体２０Ａを有しており、このカバー本体２０Ａの面部には、その長手方向に所定の間隔をおいて四つの円形孔２１が形成してあり、また、カバー本体２０Ａの両縁部の後端部にはヒンジピン２２が突設してあり、更に、カバー本体２０Ａの前縁部には左右一対の係止部２３が突設してある。
【００４０】
そして、上段側端子カバー２０は、そのヒンジピン２２をヒンジ用突起部１０の支承孔１０Ａに挿入して端子台本体１に取付けてあり、この上段側端子カバー２０をヒンジピン２２を支点にして回動させて係止部２３を係止溝部１１に係脱可能に係止することにより、上段側端子カバー２０で上段端子台部２の端子解放面２Ａを覆うようになる。この場合、上段側端子カバー２０の円形孔２１が上段端子台部２の各端子装着部７の接続端子８の頂上に位置するようになる。
【００４１】
下段側端子カバー３０は透明或いは半透明体な合成樹脂製であって、図３に示すように、下段端子台部３の上面と略同じ大きさの長方形状のカバー本体３０Ａを有しており、このカバー本体３０Ａの面部には、その長手方向に所定の間隔をおいて四つの円形孔（ドライバー等の工具の挿入部）３１が形成してあり、また、カバー本体３０Ａの後縁部３０ｄには円形孔３１とに対向するようにして半円形状の切欠き部３１Ａが形成してある。
【００４２】
カバー本体３０Ａの両縁部３０ｂ、３０ｃには脚部３３が図３において後方(後面部２ｂ側)に延長するようにして設けてある。すなわち、カバー本体３０Ａの両縁部３０ｂ、３０ｃの後縁部の両側部に切込み部３２を形成してカバー本体３０Ａに連なる脚部３３の基部３３Ａが形成してあり、この基部３３Ａから脚部３３の主部３３Ｂが後方に延長するようにして設けてある。そして、脚部３３の主部３３Ｂの先部（後端部）には外方に向って突出するロック部３４が設けてある。この場合、上記した切込み部３２は脚部３３にばね性を付与している。
【００４３】
そして、下段側端子カバー３０は、その脚部３３を脚部挿入孔１４に挿入しており、下段側端子カバー３０で下段端子台部３の端子解放面３Ａを覆った状態では脚部３３は脚部挿入孔１４に最も深く挿入されていて、ロック部３４が第１のロック係合部１７に係脱可能に係合している。この場合、下段側端子カバー３０の円形孔３１が下段端子台部２の各端子装着部１３の接続端子８−１の頂上に位置するようになる。
【００４４】
次に、上記した本発明に係る端子台のカバー装置の作動を説明する。
【００４５】
上記した下段側端子カバー３０が下段端子台部３の端子解放面３Ａを覆った状態からこの端子解放面３Ａを解放する場合には、図４において、両方の脚部３３を内方に押すことで、これらの脚部３３を内方に弾性変形させてロック部３４を第１のロック係合部１７から外し、下段側端子カバー３０を少し引き出して両方の脚部３３の押しを解除すると、ロック部３４が脚部挿入孔１４の外側壁部１４ａに弾性的に衝接するようになる。
【００４６】
そして、下段側端子カバー３０を引き出すことでロック部３４が脚部挿入孔１４の外側壁部１４ａを摺動し、図５に示すように、ロック部３４が第２のロック係合部１８に位置に至ると、ロック部３４が第２のロック係合部１８に係脱可能に係合する。このロック状態は下段側端子カバー３０が開けられた状態、すなわち、端子解放面３Ａが解放された状態である。この場合、下段側端子カバー３０の半円形状の切欠き部３１Ａが下段端子台部３の各端子装着部１３の上方に位置するようになる。
【００４７】
この状態では、下段端子台部３の各端子装着部１３の接続端子８−１が上面視において表出することになって、接続端子８−１を上から外したり、浮かしたりして、相手側端子（図示せず）の装着が可能になる。
【００４８】
また、下段側端子カバー３０の半円形状の切欠き部３１Ａは逃げであり、下段側端子カバー３０の引出し時における相手側端子の接続端子８−１への脱着をし易くするためのスペースを確保することになる。
【００４９】
また、下段側端子カバー３０は透視可能であるために、下段側端子カバー３０が下段端子台部３の端子解放面３Ａを覆っている場合でも、或いは、下段側端子カバー３０が引き出されて端子解放面３Ａが解放されている場合でも、相手側端子を見ながら接続端子８−１への脱着ができる。
【００５０】
上段端子台部２の接続端子８に相手側端子を接続配線する場合は、上段側端子カバー２０を上方に押すことで係止部２３を係止溝部１１から外して、上段側端子カバー２０を、そのヒンジピン２２を支点にして後方に回動させて上段端子台部２の端子解放面２Ａを解放することで行なう。
【００５１】
下段側端子カバー３０を引き出すことで下段端子台部３が解放できるために、上段端子台部２の接続端子８に相手側端子を接続配線した後、下段側端子カバー３０を外すことなく下段端子台部３の接続端子８−１に相手側端子を接続配線することが可能になる。また、逆に、下段端子台部３の接続端子８−１に相手側端子を接続配線した後に、上段端子台部２の接続端子８に相手側端子を接続配線することが可能になる。
【００５２】
このように配線した後、例えば、接続端子を変更するような場合、下段端子台部３の接続端子８−１の必要なところの相手側端子だけを外したい。この場合、下段側端子カバー３０を引き出して下段端子台部３を解放することで、必要なところの相手側端子だけを外すことができる。
【００５３】
また、下段側端子カバー３０は、両脚部３３を摘んで内方に弾性変形させれば、ロック部３４が第２のロック係止部１８から外れるために、下段側端子カバー３０を端子台Ａから取外すことができる。
【００５４】
上記したように、本発明の実施の形態によれば、下段側端子台部３への相手側端子の接続を下段端子カバー３０を外すことなく行なうことができるし、配線後、例えば、接続端子を変更するような場合、下段端子台部３の接続端子８−１の必要なところの相手側端子だけを外したい場合には、下段側端子カバー３０を移動させることで下段端子台部３の端子解放面３Ａを解放し、必要なところの相手側端子だけを外すことができる。
【００５５】
なお、下段側端子カバー３０の脚部３３とカバー本体３０Ａとの境目を折曲可能にヒンジ結合して、カバー本体３０Ａのみを回動可能に構成することも可能であるし、また、上段側端子台部２に対して下段側端子台部３の段差を大きくして、下段側端子部３への相手側端子の接続作業が、上段側端子部２による影響を少なくする様にしてもよい。この場合、上段側端子台部２及び下段側端子台部３を一度に覆うような一体構成の端子カバーを用いることもできる。
【産業上の利用可能性】
【００５６】
本発明に係る端子台の端子カバー装置によれば、下段側端子台部への相手側端子の接続を下段端子カバーを外すことなく行なうことができるし、配線後、例えば、接続端子を変更するような場合、下段端子台部の接続端子の必要なところの相手側端子だけを外したい場合には、下段側端子カバーを移動させることで下段端子台部の端子解放面を解放し、必要なところの相手側端子だけを外すことができて、配線作業を効率良く行なうことができるという効果を有しており、電源機器等の電子機器の入、出力線を配線する端子台のカバー装置等として有用である。
【図面の簡単な説明】
【００５７】
【図１】本発明に係る端子台の端子カバー装置において、下段端子カバーで下段側端子台部の端子解放面を覆った状態の斜視図である。
【図２】同端子台の端子カバー装置において、下段端子カバーを移動させて下段側端子台部の端子解放面を解放した状態の斜視図である。
【図３】同端子台の端子カバー装置における下段端子カバーの斜視図である。
【図４】同端子台の端子カバー装置において、下段端子カバーで下段側端子台部の端子解放面を覆った状態の横断面図である。
【図５】同端子台の端子カバー装置において、下段端子カバーを移動させて下段側端子台部の端子解放面を解放した状態の横断面図である。
【図６】従来の端子台の端子カバー装置において、端子カバーで上段側端子台部の端子解放面を覆った状態の斜視図である。
【図７】同端子台の端子カバー装置において、端子カバーを回動させて上段側端子台部の端子解放面を解放した状態の斜視図である。
【符号の説明】
【００５８】
Ａ      端子台
１      端子台本体
２      上段端子台部
２Ａ    端子解放面
３      下段端子台部
３Ａ    端子解放面
８      接続端子
８−１  接続端子
１４    脚部挿入孔
１７    第１のロック係合部
１８    第２のロック係合部
２０    上段側端子カバー
３０    下段側端子カバー
３１    円形孔（工具の挿入部）
３２    切込み部
３３    脚部
３４    ロック部
【図１】
2006260829.tif 000003
【図２】
2006260829.tif 000004
【図３】
2006260829.tif 000005
【図４】
2006260829.tif 000006
【図５】
2006260829.tif 000007
【図６】
2006260829.tif 000008
【図７】
2006260829.tif 000009